(57)【要約】【課題】被乾燥物の下方から上方に通気し、また遠赤外線を被乾燥物に照射することで被乾燥物を流動状態として均一にしかも早く乾燥させると同時に、乾燥機内の被乾燥物から飛散する微粒子を含む塵埃を容易に回収して塵埃の大気中への放出、乾燥機内の塵埃の滞留防止、乾燥機内の塵埃の付着の防止のできる流動乾燥装置を提供する【解決手段】乾燥物搬送体２の長手方向に渡って風路６で接続された塵埃収集室７が隣接して設けられ、塵埃収集室７の円弧形状の終端下には、塵埃収集室７の略全長に渡って乾燥物搬送体２と平行に天面が凹形状の塵埃収集路８が設けられていて、塵埃収集路８の内部にはスクリューコンベア２９が設けられ塵埃を塵埃収集路８の一端に搬送し、送風手段１２の送風機３０へ送り込まれ、接続管２８の内部を通過して粉塵収集器１３に導かれ塵埃βは収集される。【選択図】          図５
2005048964.tif 000002
【特許請求の範囲】
【請求項１】
水平方向に終始端に渡って凹溝構成で、底面が小孔開口した気体噴出面からなる被乾燥物を通風しながら搬送する乾燥物搬送体と、乾燥物搬送体の始端には乾燥物搬送体上に被乾燥物を連続的に投入する供給装置と、乾燥物搬送体の上部には被乾燥物に遠赤外線を照射する遠赤外線放射構成を備え、通風装置で乾燥物搬送体の気体噴出面から被乾燥物に通風させ、被乾燥物が通風を受け浮上、沈降を繰り返しながら乾燥物搬送体の終端で表層の被乾燥物が横溢口から順次横溢する流動乾燥装置であって、乾燥物搬送体の長手方向に渡って風路で接続された塵埃収集室を隣接して設けたことを特徴とする流動乾燥装置。
【請求項２】
水平方向に終始端に渡って凹溝構成で、底面が小孔開口した気体噴出面からなる被乾燥物を通風しながら搬送する乾燥物搬送体と、乾燥物搬送体の始端には乾燥物搬送体上に被乾燥物を連続的に投入する供給装置と、乾燥物搬送体の上部には被乾燥物に遠赤外線を照射する遠赤外線放射構成を備え、通風装置で乾燥物搬送体の気体噴出面から被乾燥物に通風させ、被乾燥物が通風を受け浮上、沈降を繰り返しながら乾燥物搬送体の終端で表層の被乾燥物が横溢口から順次横溢する流動乾燥装置であって、乾燥物搬送体の長手方向に渡って風路で接続された塵埃収集室を隣接して設け、塵埃収集室で集塵後の排風を乾燥物搬送体の気体噴出面から再度被乾燥物に通風することを特徴とする流動乾燥装置。
【請求項３】
塵埃収集室には乾燥物搬送体と平行して塵埃収集路を設けたことを特徴とする請求項１又は請求項２記載の流動乾燥装置。
【請求項４】
塵埃収集室に乾燥物搬送体と平行に設けられた塵埃収集路は、天面が凹形状であることを特徴とする請求項１ないし請求項３のいずれか記載の流動乾燥装置。
【請求項５】
乾燥物搬送体の長手方向に渡って接続された塵埃収集室に至る風路は、乾燥物搬送体の上部から塵埃収集路に渡り周面が円弧形状であることを特徴とする請求項１ないし請求項３のいずれか記載の流動乾燥装置。
【請求項６】
塵埃収集室に乾燥物搬送体と平行に設けられた塵埃収集路には、塵埃を塵埃収集路の一端方向に搬送する搬送手段と、搬送手段によって一端に集められた塵埃を空気搬送させる送風手段と、送風手段で空気搬送された塵埃を収集する粉塵収集器とをそれぞれ接続したことを特徴とする請求項１ないし請求項５のいずれか記載の流動乾燥装置。
【請求項７】
塵埃収集室に乾燥物搬送体と平行に設けられた塵埃収集路の一端方向に搬送する搬送手段の終端と、搬送手段によって一端に集められた塵埃を空気搬送させる送風手段と、送風手段で空気搬送された塵埃を収集する粉塵収集器までを断熱構成としたことを特徴とする請求項１ないし請求項６のいずれか記載の流動乾燥装置。
【請求項８】
乾燥物搬送体と、遠赤外線放射構成と、通風装置と乾燥物搬送体の終端で表層の被乾燥物が順次横溢する横溢口と、塵埃収集室と、塵埃収集室に乾燥物搬送体と平行に設けられた塵埃収集路の一端方向に搬送する搬送手段の終端と、搬送手段によって一端に集められた塵埃を空気搬送させる送風手段と、送風手段で空気搬送された塵埃を収集する粉塵収集器までを断熱構成としたことを特徴とする請求項１ないし請求項７のいずれか記載の流動乾燥装置。
【請求項９】
遠赤外線放射構成は、遠赤外線放射体内でのバーナ燃焼による遠赤外線の放射であって、燃焼ガスは遠赤外線放射後に機外に排出、または遠赤外線放射後に塵埃収集室内に排出、または遠赤外線放射後に塵埃収集室内を経て機外に排出のいずれかを選択できるように構成したことを特徴とする請求項１ないし請求項８のいずれか記載の流動乾燥装置。
【請求項１０】
乾燥物搬送体と遠赤外線放射構成との間の空間の静圧を０から−５０Ｐａとしたことを特徴とする請求項１ないし請求項９のいずれか記載の流動乾燥装置。
【発明の詳細な説明】
【０００１】
【発明の属する技術分野】
本発明は、水平方向に終始端に渡って凹溝構成で、底面が小孔開口した気体噴出面からなる被乾燥物を通風しながら搬送する乾燥物搬送体に被乾燥物を連続的に投入し、その被乾燥物に遠赤外線を照射しながら被乾燥物に通風し、被乾燥物が通風を受け浮上、沈降を繰り返しながら乾燥物搬送体の終端で表層の被乾燥物が順次横溢する流動乾燥装置に関する。
【０００２】
【従来の技術】
従来、平面状をなした流動盤を乾燥機本体内に敷設して上部に流動室を、下部に送風室を構成すると共に流動盤の表面には乾燥風が噴気する噴気孔を多数開口させ、流動盤上に供給された乾燥物を噴気孔から一斉に噴気する乾燥風で一定厚さの流動層を形成させながら排出側へ移行する間に乾燥を終了させる流動乾燥機は既に公知である。
【０００３】
また、乾燥室内の空気を減圧状態に保持しながら乾燥機室内に多量の遠赤外線を放射し、この乾燥室内の空気を大量に循環させながら乾燥室内に配設された通気性のある搬送装置上の籾を層状に分散状態で搬送し、循環空気流を籾層の下方から上方に貫通させて籾と循環空気流とを十分に接触させて籾を乾燥させる方法は特開平１１―１７２９９７号公報に記載されている。
【０００４】
さらに特開２００２―２２３６２号では、乾燥室内部の水平方向に設けられた穀粒保持体の穀粒支持面を多数の小孔を開口した気体噴出面で形成し、気体噴出面の一方に堰部材を、他方の上流から穀粒を供給して穀粒層を形成し、この穀粒層の上方に遠赤外線ヒータを配置して穀粒に遠赤外線を放射しながら、穀粒保持体の支持面の小孔を開口した気体噴出面から気体を貫入して撹拌、流動化させながら気体噴出面の堰部材の高さによって穀粒の厚さを調節しながら穀粒を乾燥する構成も既に公知である。
【０００５】
【発明が解決しようとする課題】
底面が小孔開口した気体噴出面上の被乾燥物を下方から上方に向けて乾燥風を通風し搬送しながら乾燥する流動乾燥機では、乾燥風が被乾燥物に十分に接触するために被乾燥物から大量の微粒子を含む塵埃が乾燥風に乗り、機外に放出されている。
【０００６】
現在多くの流動乾燥装置においては、被乾燥物から乾燥風に乗って排出される微粒子はそのまま機外に排出されるか、乾燥風と同等の風量を処理できる能力をもった集塵装置によって微粒子を回収しており、集塵装置の設置面積、稼動動力、稼動時の騒音、設備のコスト、集塵装置のメンテナンス等が問題となっている。
【０００７】
また、乾燥風を循環して被乾燥物に通風している流動乾燥装置においては、被乾燥物に含まれる微粒子を含む塵埃が循環風に乗って乾燥機内を周回するのを防止する装置が備わっていないため、機内に微粒子を含む塵埃が付着して通風通路を妨げたり、遠赤外線放射構成に微粒子を含む塵埃が付着して火災の発生の可能性が考えられる。
【０００８】
そこで、本発明は被乾燥物の下方から上方に通気し、また遠赤外線を被乾燥物に照射することで被乾燥物を流動状態として均一にしかも早く乾燥させると同時に、乾燥機内の被乾燥物から飛散する微粒子を含む塵埃を容易に回収して塵埃の大気中への放出防止、乾燥機内の塵埃の滞留防止、乾燥機内の塵埃の付着の防止のできる被乾燥物の連続処理可能なコンパクトで一体型の低価格な流動乾燥装置を提供することを目的とする。
【０００９】
【課題を解決するための手段】
上記目的を達成するために、本発明は請求項１ないし請求項１０に係わる流動乾燥装置を提案するものである。
【００１０】
即ち、請求項１に係わる流動乾燥装置は、水平方向に終始端に渡って凹溝構成で、底面が小孔開口した気体噴出面からなる被乾燥物を通風しながら搬送する乾燥物搬送体と、乾燥物搬送体の始端には乾燥物搬送体上に被乾燥物を連続的に投入する供給装置と、乾燥物搬送体の上部には被乾燥物に遠赤外線を照射する遠赤外線放射構成を備え、通風装置で乾燥物搬送体の気体噴出面から被乾燥物に通風させ、被乾燥物が通風を受け浮上、沈降を繰り返しながら乾燥物搬送体の終端で表層の被乾燥物が横溢口から順次横溢する流動乾燥装置であって、乾燥物搬送体の長手方向に渡って風路で接続された塵埃収集室を隣接して設けたことを特徴とするものである。
【００１１】
請求項２に係わる流動乾燥装置は、請求項１記載の流動乾燥装置において、水平方向に終始端に渡って凹溝構成で、底面が小孔開口した気体噴出面からなる被乾燥物を通風しながら搬送する乾燥物搬送体と、乾燥物搬送体の始端には乾燥物搬送体上に被乾燥物を連続的に投入する供給装置と、乾燥物搬送体の上部には被乾燥物に遠赤外線を照射する遠赤外線放射構成を備え、通風装置で乾燥物搬送体の気体噴出面から被乾燥物に通風させ、被乾燥物が通風を受け浮上、沈降を繰り返しながら乾燥物搬送体の終端で表層の被乾燥物が横溢口から順次横溢する流動乾燥装置であって、乾燥物搬送体の長手方向に渡って風路で接続された塵埃収集室を隣接して設け、塵埃収集室で集塵後の排風を乾燥物搬送体の気体噴出面から再度被乾燥物に通風することを特徴とするものである。
【００１２】
請求項３に係わる流動乾燥装置は、請求項１及び請求項２のいずれか記載の流動乾燥装置において、塵埃収集室には乾燥物搬送体と平行して塵埃収集路を設けたことを特徴とするものである。
【００１３】
請求項４に係わる流動乾燥装置は、請求項１ないし請求項３のいずれか記載の流動乾燥装置において、塵埃収集室に乾燥物搬送体と平行に設けられた塵埃収集路は、天面が凹形状であることを特徴とするものである。
【００１４】
請求項５に係わる流動乾燥装置は、請求項１ないし請求項４のいずれか記載の流動乾燥装置において、乾燥物搬送体の長手方向に渡って接続された塵埃収集室に至る風路は、乾燥物搬送体の上部から塵埃収集路に渡り周面が円弧形状であることを特徴とするものである。
【００１５】
請求項６に係わる流動乾燥装置は、請求項１ないし請求項５のいずれか記載の流動乾燥装置において、塵埃収集室に乾燥物搬送体と平行に設けられた塵埃収集路には、塵埃を塵埃収集路の一端方向に搬送する搬送手段と、搬送手段によって一端に集められた塵埃を空気搬送させる送風手段と、送風手段で空気搬送された塵埃を収集する粉塵収集器とをそれぞれ接続したことを特徴とするものである。
【００１６】
請求項７に係わる流動乾燥装置は、請求項１ないし請求項６のいずれか記載の流動乾燥装置において、塵埃収集室に乾燥物搬送体と平行に設けられた塵埃収集路の一端方向に搬送する搬送手段の終端と、搬送手段によって一端に集められた塵埃を空気搬送させる送風手段と、送風手段で空気搬送された塵埃を収集する粉塵収集器までを断熱構成としたことを特徴とするものである。
【００１７】
請求項８に係わる流動乾燥装置は、請求項１ないし請求項７のいずれか記載の流動乾燥装置において、乾燥物搬送体と、遠赤外線放射構成と、通風装置と乾燥物搬送体の終端で表層の被乾燥物が順次横溢する横溢口と、塵埃収集室と、塵埃収集室に乾燥物搬送体と平行に設けられた塵埃収集路の一端方向に搬送する搬送手段の終端と、搬送手段によって一端に集められた塵埃を空気搬送させる送風手段と、送風手段で空気搬送された塵埃を収集する粉塵収集器までを断熱構成としたことを特徴とするものである。
【００１８】
請求項９に係わる流動乾燥装置は、請求項１ないし請求項８のいずれか記載の流動乾燥装置において、遠赤外線放射構成は、遠赤外線放射体内でのバーナ燃焼による遠赤外線の放射であって、燃焼ガスは遠赤外線放射後に機外に排出、または遠赤外線放射後に塵埃収集室内に排出、または遠赤外線放射後に塵埃収集室内を経て機外に排出のいずれかを選択できるように構成したことを特徴とするものである。
【００１９】
請求項１０に係わる流動乾燥装置は、請求項１ないし請求項９のいずれか記載の流動乾燥装置において、乾燥物搬送体と遠赤外線放射構成との間の空間の静圧を０から−５０Ｐａとしたことを特徴とするものである。
【００２０】
【発明の実施の形態】
図１には本発明の実施の形態に係わる流動乾燥装置の概略縦断図、図２には本発明の実施の形態に係わる流動乾燥装置の概略斜視図、図３には本発明の実施の形態に係わる流動乾燥装置の概略縦断正面図、図４には本発明の第２の実施の形態を示す流動乾燥装置の正面断面図、図５には本発明の第２の実施の形態を示す流動乾燥装置の斜視断面図、図６には本発明の第２の実施の形態を示す流動乾燥装置の側面断面図、図７には本発明の第２の実施の形態の燃焼排気を方法を示す流動乾燥装置の斜視図、図８には本発明の第２の実施の形態の燃焼排気を方法の他例を示す流動乾燥装置に斜視図、図９には本発明の第２の実施の形態の実施例を示すブロック図、図１０には本発明の第２の実施の形態の実施例を示すフローチャート図である。
【００２１】
図１において、流動乾燥装置１は水平方向に終始端に渡って凹溝構成で、底面が小孔開口した気体噴出面１０からなる被乾燥物αを通風しながら搬送する乾燥物搬送体２と、乾燥物搬送体の始端１７には乾燥物搬送体２上に被乾燥物αを連続的に投入するバルブ２０とホッパ２１からなる供給装置３と、乾燥物搬送体２の上部には被乾燥物αに遠赤外線γを放射する遠赤外線放射構成４を備え、通風装置５で乾燥物搬送体２の気体噴出面１０から被乾燥物αに通風する構成になっており、被乾燥物αが供給装置３より連続的に乾燥物搬送体の始端１７側に供給され、遠赤外線放射構成４からの遠赤外線γを被乾燥物αに照射しながら、通風装置５からの通風を受け浮上、沈降を繰り返し乾燥物搬送体の終端１８で表層の乾燥終了した被乾燥物αが横溢口１６から順次横溢するものである。なお、図１には乾燥物搬送体２上に被乾燥物αをより撹拌させるための撹拌機９が設けているが、この撹拌機９が実施されなくてもよい（図示せず）。
【００２２】
以上のように構成された流動乾燥装置１には乾燥物搬送体２の長手方向に渡って風路６で接続された塵埃収集室７が隣接して設けられている。しかも図２及び図３に示すように、風路６は乾燥物搬送体２の上部より塵埃収集室７に渡り円弧形状面でつながれていて、塵埃収集室７の円弧形状面の終部下には、塵埃収集室７の略全長に渡って乾燥物搬送体２と平行に天面が凹形状の塵埃収集路８が設けられていて、塵埃収集路８の内部には搬送手段１１が設置されていている。図２及び図３では仕切り板１９によって乾燥物搬送体２と塵埃収集室７とを隔てており、塵埃収集室７の塵埃収集路８の内部に塵埃を導くよう仕切り板１９の先端が湾曲しているとよい。
【００２３】
ホッパ２１に投入された被乾燥物αはバルブ２０の定量供給によって供給装置３から連続的に乾燥物搬送体２に投入され、通風装置５の気体噴出面１０からの通風と撹拌機９の作用によって乾燥物搬送体の始端１７から乾燥物搬送体の終端１８に渡る凹溝内に滞留する。この時、遠赤外線放射構成４からの遠赤外線γを被乾燥物αが受け、被乾燥物α自体の温度が上昇し内部に含まれる水分が外部へと移行しながら通風装置５からの通風によって被乾燥物の外部に移行した水分を取り除く。この通風は被乾燥物αの水分を取り除くほか、被乾燥物αを浮上、沈降させながら混合し、供給装置３から連続して被乾燥物αが供給されるので乾燥物搬送体の終端１８方向の横溢口１６から乾燥の終了した被乾燥物αが横溢される。
【００２４】
被乾燥物αが遠赤外線γの放射と通風を受け、浮上、沈降しながら乾燥する過程で被乾燥物αから微粒子を含んだ塵埃βが乾燥物搬送体２から舞上り、遠赤外線放射構成４の側面を通り抜け、風路６から塵埃収集室７内に風路６の円弧形状面に添って塵埃βが移行し、凹形状の塵埃収集路８内に塵埃βのみ収集され、塵埃βは搬送手段１１の作用により塵埃収集路８の一端に搬送され次工程に導かれ、塵埃βが取り除かれた風は排気口３３より排出される。
【００２５】
図４および図５に示す第２の実施の形態における構成は、流動乾燥装置１は水平方向に終始端に渡って凹溝構成で、底面が小孔開口した気体噴出面１０からなる被乾燥物αを通風しながら搬送する乾燥物搬送体２と、乾燥物搬送体の始端１７には乾燥物搬送体２上に被乾燥物αを連続的に投入する供給装置３と、乾燥物搬送体２の上部には被乾燥物αに遠赤外線γを放射する遠赤外線放射構成４を備え、通風装置５で乾燥物搬送体２の気体噴出面１０から被乾燥物αに通風させ、被乾燥物αが通風を受け浮上、沈降を繰り返し乾燥物搬送体の終端１８で表層の乾燥終了した被乾燥物αが横溢口１６から順次横溢する流動乾燥装置であって、乾燥物搬送体２の長手方向に渡って風路６で接続された塵埃収集室７を隣接して設け、塵埃収集室７で集塵後の排風を乾燥物搬送体２の気体噴出面１０から再度被乾燥物αに通風する構成となっている。
【００２６】
図４および図５で筐体２２の内部には、仕切り板１９で上方の風路６と吸引口２３の通風口を除いて縦断方向に仕切り、仕切られた一方の下部には通風装置５が設けられ、送風装置５の上部には供給装置３の側の乾燥物搬送体の始端１７から横溢口１６の乾燥物搬送体の終端１８に渡って凹溝構成で、底面が小孔開口した気体噴出面１０からなる乾燥物搬送体２が設けられている。
【００２７】
また、乾燥物搬送体２の上方には被乾燥物αを撹拌可能な範囲に撹拌機９が設けられ、乾燥物搬送体２と撹拌機９の上方には、遠赤外線放射体１４内でのバーナ１５の燃焼を利用して遠赤外線γが発生する遠赤外線放射構成４が被乾燥物αが燃焼しないほどの空間Ａ２５を保って設けられていて、この空間Ａ２５の側面にはこの空間Ａの静圧を計るための圧力センサ２４が設けられている。
【００２８】
遠赤外線放射構成４上の空間から先端が塵埃収集室７内に湾曲した仕切り板１９を隔てて塵埃収集室７まで至る風路６が設けられていて、この風路６は図４では塵埃収集室７に入ってから上面が円弧形状をなしているが、乾燥物搬送体２の上部より塵埃収集室７に渡り円弧形状面でつながれているとよい。
【００２９】
塵埃収集室７の円弧形状面の終部下には、塵埃収集室７の略全長に渡って乾燥物搬送体２と平行に天面が凹形状の塵埃収集路８が設けられていて、塵埃収集路８の内部には搬送手段１１のスクリューコンベア２９が設置されている。
【００３０】
塵埃収集室７の塵埃収集路８の下の空間Ｂ２６には側面に温度センサ２７が設けられていて、温度センサ２７の下方に塵埃収集室７に送られた風を再度通風装置５に導くための吸引口２３が仕切り板１９の一部に開口している。
【００３１】
また、塵埃収集路８の一端にはスクリューコンベア２９で集められた塵埃βを筐体２２の外部に導く送風手段１２が設けられ、塵埃βを収集する粉塵収集器１３とは接続管２８で繋がれている。
【００３２】
被乾燥物αは供給装置３からバルブ２０の定量供給によって乾燥物搬送体の始端１７から乾燥物搬送体の終端１８に渡る凹溝構成の気体噴出面１０をもった乾燥物搬送体２上に送り込まれる。凹溝の深さだけ被乾燥物αは凹溝構成の乾燥物搬送体２上に滞留するが、供給装置３から定量的に被乾燥物αが乾燥物搬送体２の面上に投入されるので、被乾燥物αは乾燥物搬送体の終端１８の横溢口１６より流動乾燥機１の機外に横溢される。
【００３３】
被乾燥物αはこの供給装置３から横溢口１６に移行する間、乾燥物搬送体２の上部に設けられた遠赤外線放射構成４の遠赤放射体１４内でのバーナ１５燃焼による遠赤外線γの放射を受けることによって被乾燥物αの内部温度が上昇し、水分を乾燥物の表面に移行させ、被乾燥物αの表面に移行した水分は回転式の撹拌機９の撹拌作用と通風装置５からの通風で浮上、沈降を繰り返し被乾燥物αは次第に均一に乾燥し、乾燥物搬送体の終端１８の横溢口１６から排出される時点においては、完全に目標水分まで乾燥しているものである。
【００３４】
この遠赤外線γの放射と通風による被乾燥物αの流動乾燥よって発生する塵埃βは、空間Ａ２５を上昇し遠赤放射体１４の周囲を通過し、風路６を経て塵埃収集室７に侵入するが、風路６は仕切り板１９によって狭められ、塵埃収集室７に侵入にさいして風速を上げて円弧形状面に沿って塵埃βだけが塵埃収集路８内に導かれる。
【００３５】
ここで塵埃βを取り除かれた風は空間Ｂ２６を通過し、仕切り板１９の吸引口２３から通風装置５に導かれ、再度乾燥物搬送体２を通過し被乾燥物αの乾燥に利用する循環風となる。なお、空間Ｂ２６を通過するさいに温度センサ２７で循環風の温度を計測することが出来ものである。
【００３６】
塵埃収集路８内に導かれた塵埃βは、スクリューコンベア２９によって送風手段１２の送風機３０へ送り込まれ、接続管２８の内部を通過して粉塵収集器１３に導かれ塵埃と風に分離されて、塵埃は粉塵収集器１３内に収集され、風のみ粉塵収集器１３から排気される。なお、本実施例での粉塵収集器１３はサイクロン方式を図示しているが、フィルター方式の収集器であっても良い（図示せず）。
【００３７】
図６に示す流動乾燥機１は、第２の実施の形態の流動乾燥機において、乾燥物搬送体２と、遠赤外線放射構成４と、通風装置５と乾燥物搬送体の終端１８で表層の被乾燥物αが順次横溢する横溢口１６と、塵埃収集室７と、塵埃収集室７に乾燥物搬送体２と平行に設けられた塵埃収集路８の一端方向に搬送する搬送手段１１の終端と、搬送手段１１によって一端に集められた塵埃βを空気搬送させる送風手段１２と、送風手段１２で空気搬送された塵埃βを収集する粉塵収集器１３までを断熱材３１で覆われた構成を表すものである。
【００３８】
被乾燥物αには水分が含まれているが、遠赤外線βの放射と通風によって被乾燥物αから水分は蒸発し、筐体２２内部の乾燥物搬送体２、遠赤外線放射構成４、塵埃収集室７、通風装置５を循環しているが、筐体２２内部では循環風が滞留する所や側壁の温度が低い所などは風に含まれる湿気が側壁に結露して塵埃の付着を引き起こし、集塵効果の低下や通風の妨げなどを引き起こす原因となっていた。
【００３９】
そこで、筐体２２の内部即ち、乾燥物搬送体２と、遠赤外線放射構成４と、通風装置５と乾燥物搬送体の終端１８で表層の被乾燥物αが順次横溢する横溢口１６と、塵埃収集室７と、塵埃収集室７に乾燥物搬送体２と平行に設けられた塵埃収集路８の一端方向に搬送する搬送手段１１の終端と、搬送手段１１によって一端に集められた塵埃βを空気搬送させる送風手段１２と、送風手段１２で空気搬送された塵埃βを収集する粉塵収集器１３までを断熱材３１で覆う事で、側壁と循環風の温度差をなくし、通風経路の結露を防止して集塵効果の低下や通風の妨げなどを無くそうとするものである。
【００４０】
特に搬送手段１１の終端と、送風手段１２と接続管２８と粉塵収集器１３の出口までの側壁は、外気との接触面が多いため特に結露しやすいので、搬送手段１１の終端と、送風手段１２と接続管２８と粉塵収集器１３までを断熱材３１で覆う構成であってもよく、風に含まれる湿気の結露を防止して、粉塵収集が良好に粉塵収集器１３で行うことが出来る（図示せず）。
【００４１】
図７および図８に示す図は、第２の実施の形態の流動乾燥機１において、遠赤外線放射体１４内でバーナ１５が燃焼し、遠赤外線γを放射後の排気方法を示したものである。第２の実施の形態の図５に示す排気方法は、遠赤外線放射体１４内でバーナ１５が燃焼し、遠赤外線γを遠赤外線放射体１４から放射後直ちに筐体２２の外部に排気する方法である。それに対して、図７は遠赤外線放射体１４内でバーナ１５が燃焼し、遠赤外線γを遠赤外線放射体１４から放射後、排気管３２で筐体２２の外部へ導き、筐体２２の内部の空間Ｂ２６内に排出する方法である。この方法は筐体２２内の空間Ｂから通風装置５そして、乾燥物搬送体２を通過し空間Ａ２５から風路６を循環する循環風内に燃焼排気を混合することで循環風の温度を上昇させ、バーナ１５の少ない燃焼量で効率良く被乾燥物αを乾燥することが出来る。
【００４２】
また、図８では遠赤外線放射体１４内でバーナ１５が燃焼し、遠赤外線γを遠赤外線放射体１４から放射後、排気管３２で筐体２２の外部へ導き、筐体２２の内部の空間Ｂ２６内を排気管３２で通過して筐体２２の外部に燃焼排気を排出するものである。この方式は燃焼排気を筐体２２内の循環風と混合せず、空間Ｂ２６内の排気管３２の周囲を循環風が通過することで循環風の温度を効率良く上昇させようとするものであって、特に被乾燥物αが食品である場合、燃焼による臭いや煤等の付着を防止することできる。
【００４３】
以上のように、第２の実施の形態の流動乾燥機では、被乾燥物の種類によって、バーナ１５の燃焼後の排気を上記の３通りのどれかに選択可能であって、それぞれの乾燥の目的を達成することができる。
【００４４】
図９では、第２の実施の形態の流動乾燥機の流れをブロック図で示したものであって、圧力センサ２４・温度センサ２７を用いて制御装置３４に入力し、それぞれの装置との関連をしめしているものであり、図１０ではさらにそれぞれの制御をフローチャートとして表している。
【００４５】
図９において通風装置５からの通風は乾燥物搬送体２から遠赤放射体１４の付近を通過し、塵埃収集室７から通風装置５への循環工程を循環し、塵埃収集室７では塵埃βをスクリューコンベア２９を経て送風機３０に送り込み、粉塵収集器１３で塵埃βが収集され風（空気）のみ機外に排出される。
【００４６】
上記の循環工程の乾燥物搬送体２と遠赤放射体１４との間の空間Ａ２５には圧力センサ２４が設けられおり、塵埃収集室７と通風装置５との間の空間Ｂ２６には温度センサ２７が設けられていて、圧力センサ２４・温度センサ２７はそれぞれ制御装置３４の入力部に繋がれていて、制御装置３４は圧力センサ２４・温度センサ２７の入力信号に応じてバーナ１５・送風機３０の出力を制御するようになっている。
【００４７】
流動乾燥機１を稼動させると通風装置５とスクリューコンベア２９と送風機３０が起動し、バーナ１５は燃焼を開始し、圧力センサ２４と温度センサ２７はそれぞれの測定を開始する。圧力センサ２４では空間Ａ２５内の静圧が設定範囲になるように流動乾燥機１内の循環風の一部を機外に送風機３０によって排出することで循環風の圧力を制御し、また温度センサ２７は空間Ｂ２６の温度が設定範囲になるよう燃焼量を制御装置３４からの信号を経て調整するものである。
【００４８】
バーナ１５の燃焼によって流動乾燥機１内の温度が上昇し、空間Ｂ２６の温度が指定範囲に到達したら、バルブ２０が起動し被乾燥物αを乾燥物搬送体２上に供給を開始する。被乾燥物αが乾燥物搬送体２上に広がるにつれて循環風の温度の低下又は被乾燥物αが循環風の抵抗となることで、機体内の静圧は変化を始める。
【００４９】
循環風の温度は空間Ｂ２６の温度センサ２７で測定しているのでその減少量（下がった温度）を制御部３４に信号として伝達し、常に循環風の温度が設定範囲となるようバーナ１５の燃焼量を上昇させ、以後稼動中は設定範囲を保つように働く。また、空間Ａ２５内の静圧においても圧力センサ２４によって測定され、静圧の変化量に応じて送風機３０の風量を変化させ、設定範囲の制圧になるよう制御し、以後これを保つように働くものである。
【００５０】
被乾燥物αは供給装置３のバルブ２０の定量供給によって乾燥物搬送体２面上に満たされ、遠赤外線放射体１４からの遠赤外線γを浴び表面に水分を移行させ、流動乾燥機１内を通風する循環風と撹拌機９の作用によって浮上・沈降しながら乾燥され、乾燥の終了した乾燥物搬送体の終端１８近くの表面の被乾燥物αは横溢口１６より機外に排出され、排出された被乾燥物αの乾燥はここで終了する。
【００５１】
なお、塵埃収集室７の塵埃収集路８に溜まった塵埃βは、スクリューコンベア２９によって送風機３０に送り込まれ、この送風機３０から塵埃収集器１３内に移行し、集塵器内で塵埃βと風に分離され、塵埃βは塵埃収集器１３内に堆積し、風は機外に排出される。
【００５２】
流動乾燥機１の乾燥作業が終了したならば、制御装置から停止動作が開始される。第一にバルブ２０が速やかに停止して被乾燥物αの投入を止め、次にバーナ１５の燃焼が停止し、バーナ燃焼停止後、通風装置５とスクリューコンベア２９が設定時間後に停止する。送風機３０においては通風装置５が停止後においても空間Ｂ２６の温度センサ２７が設定範囲以下になるまで稼動し、横溢口１６から外気を吸入して流動乾燥機１内部を冷やし、温度センサが設定範囲以下になったら送風機３０は停止し全ての乾燥工程は終了する。
【００５３】
本発明の第２の実施の形態の流動乾燥機で乾燥できる被乾燥物は、多種多様の物を乾燥できることが可能で例えば、釣りえさ・海草ペレット・海草肥料・茸・オカラ・おが屑等が乾燥可能であって、それぞれの循環風の温度は被乾燥物の種類によって異なり、
乾燥物名          循環風温度（空間Ｂ）  乾燥初期水分    乾燥終了水分
釣りえさ          ６０〜８０℃            １３％    →    ６．５％
海草ペレット      ８０〜１３０℃          ３５％    →    ２５％
おが屑            ６０〜８０℃            ６５％    →    ２０％
以上のことが実験から判明している。
【００５４】
以上の乾燥実験では循環風を風速０．５〜３．０ｍ／ｓが流動乾燥を行わせるのにもっとも適した風量であって、空間Ａ２５内における静圧は実験により０から−５０Ｐａの範囲が良いことがわかった。この静圧の範囲は横溢口１６から外気を若干流動乾燥機１内に吸引し、横溢口１６から塵埃βの飛散を無くして乾燥終了した製品の被乾燥物αに粉塵が混入しない作用と被乾燥物αの若干の冷却作用を兼ねるものであって、流動乾燥機１内の循環風量の１／４から１／１０の風量がこの値となることが判った。
【００５５】
【発明の効果】
本発明によれば、乾燥物搬送体上に被乾燥物を連続的に投入し、一定の層厚で滞留した被乾燥物に、遠赤外線放射と通風と撹拌作用による乾燥工程で発生する塵埃を機外に排出することなく、良好な作業環境を提供することが出来ると同時に、循環風に含まれる塵埃が遠赤外線放射体へ付着することによっておこる塵埃の火災若しくは、塵埃の燃焼臭の発生を防止することが出来るので、高品質の乾燥物を得ることが出来る。
【００５６】
なお、横溢口を有する乾燥物搬送体と遠赤外線放射構成との空間を、静圧０〜−５０Ｐａを保つよう循環風を送風機で機外に排出しているので、横溢口からの塵埃の飛散と乾燥完了した乾燥物に塵埃が含まれないので、より一層乾燥物の高品質を保つことが出来る。
【００５７】
そして、塵埃の搬送工程又は流動乾燥機装置全体を断熱構造としているので、被乾燥物から乾燥の過程で発生する水蒸気が温度の低い部分（外気）との接触で発生する結露現象を防止し、塵埃の良好な収集及び循環風の均一な通風を可能としている。
【００５８】
さらに、バーナの燃焼で遠赤外線を放射後、バーナの燃焼ガスの排出方法を機外に又は機内に又は機内を経由して機外に排出のいずれかの選択できるよう構成されているので、燃焼ガスの混合を好まない食品等の乾燥には遠赤外線の放射のみを、又は遠赤外線放射後に燃焼ガスを再度機内に導き間接過熱方式で熱を機内に取り込み機内の乾燥風の温度の上昇を促す乾燥方法や、食品以外の乾燥時間の短縮を望む乾燥物では、遠赤放射後の排気ガスを機内に直接投入することによって機内の温度を効率的に上昇できるなど、乾燥する物体、乾燥時間等の目的によって乾燥の構成を選択できる効果を有するものである。
【図面の簡単な説明】
【図１】本発明の実施の形態に係わる流動乾燥装置の概略縦断図である。
【図２】本発明の実施の形態に係わる流動乾燥装置の概略斜視図である。
【図３】本発明の実施の形態に係わる流動乾燥装置の概略縦断正面図である。
【図４】本発明の第２の実施の形態を示す流動乾燥装置の正面断面図である。
【図５】本発明の第２の実施の形態を示す流動乾燥装置の斜視断面図である。
【図６】本発明の第２の実施の形態を示す流動乾燥装置の側面断面図である。
【図７】本発明の第２の実施の形態の燃焼排気を方法を示す流動乾燥装置の斜視図である。
【図８】本発明の第２の実施の形態の燃焼排気を方法の他例を示す流動乾燥装置に斜視図である。
【図９】本発明の第２の実施の形態の実施例を示すブロック図である。
【図１０】本発明の第２の実施の形態の実施例を示すフローチャート図である。
【符号の説明】
１  流動乾燥装置
２  乾燥物搬送体
３  供給装置
４  遠赤外線放射構成
５  通風装置
６  風路
７  塵埃収集室
８  塵埃収集路
９  撹拌機
１０  気体噴出面
１１  搬送手段
１２  送風手段
１３  粉塵収集器
１４  遠赤放射体
１５  バーナ
１６  横溢口
１７  乾燥物搬送体の始端
１８  乾燥物搬送体の終端
１９  仕切り板
２０  バルブ
２１  ホッパ
２２  筐体
２３  吸引口
２４  圧力センサ
２５  空間Ａ
２６  空間Ｂ
２７  温度センサ
２８  接続管
２９  スクリューコンベア
３０  送風機
３１  断熱材
３２  排気管
３３  排気口
３４  制御装置
α  被乾燥物
β  塵埃
γ  遠赤外線
【図１】
2005048964.tif 000003
【図２】
2005048964.tif 000004
【図３】
2005048964.tif 000005
【図４】
2005048964.tif 000006
【図５】
2005048964.tif 000007
【図６】
2005048964.tif 000008
【図７】
2005048964.tif 000009
【図８】
2005048964.tif 000010
【図９】
2005048964.tif 000011
【図１０】
2005048964.tif 000012